(57)【要約】【課題】入力作業を煩雑にすることなくセキュリティ性を向上させ得るデータ通信システムを提供する。【解決手段】携帯電話３０の撮像部３１により使用者の指Ｆの指紋画像が撮像されることに応じてこの指紋画像と記憶部に記憶される指紋データとが一致すると照合部により判断されるとき、個人データおよび個人認証要求データに応じた第１情報コードと、個人認証完了データに応じた第２情報コードとが表示部３２に表示される。そして、光学的情報読取装置２０の撮像部２４が携帯電話３０の表示部３２に表示された第１情報コードおよび第２情報コードを撮像すると、デコード処理された画像データに個人認証要求データが含まれるとの判定と、デコード処理された画像データに個人認証完了データが含まれるとの判定とに応じて、個人データ等が通信部により通信用端末に送信される。【選択図】図２
2010224862.tif 000002
【特許請求の範囲】
【請求項１】
携帯端末の表示部に表示された画像を撮像可能な読取側撮像部と、
前記読取側撮像部にて撮像される画像を処理する処理部と、
上位制御機器に対して所定のデータを送受信可能な通信部と、
を有する光学的情報読取装置を備えるデータ通信システムであって、
前記携帯端末は、
使用者の指紋を撮像可能な携帯側撮像部と、
個人データおよび指紋データが記憶される記憶部と、
前記記憶部の前記指紋データと前記携帯側撮像部にて撮像される指紋画像とを照合する照合部と、
前記記憶部の前記個人データと個人認証を要求するための個人認証要求データとに応じて第１の情報コードを作成する第１コード作成部と、
個人認証の完了を示す個人認証完了データに応じて第２の情報コードを作成する第２コード作成部と、を備え、
前記表示部には、前記携帯側撮像部により前記指紋画像が撮像されることに応じて前記照合部により前記指紋画像と前記指紋データとが一致すると判断されるとき、前記第１の情報コードおよび前記第２の情報コードが表示され、
前記処理部は、
前記読取側撮像部にて撮像される前記表示部に表示された前記第１の情報コードおよび前記第２の情報コードをデコードするデコード手段と、
前記デコード手段によりデコード処理された前記第１の情報コードに格納された第１のデータに前記個人認証要求データが含まれるか否かを判定する第１判定手段と、
前記第１判定手段により前記第１のデータに前記個人認証要求データが含まれると判定されるとき、前記デコード手段によりデコード処理された前記第２の情報コードに格納された第２のデータに前記個人認証完了データが含まれるか否かを判定する第２判定手段と、を備え、
前記通信部は、前記第２判定手段により前記第２のデータに前記個人認証完了データが含まれると判定されるとき、前記第１のデータに含まれる前記個人データを前記上位制御機器に送信することを特徴とするデータ通信システム。
【請求項２】
前記表示部には、前記第１の情報コードおよび前記第２の情報コードの少なくとも１つを複数のコード画像に分割して順次表示することを特徴とする請求項１に記載のデータ通信システム。
【請求項３】
携帯端末の表示部に表示された画像を撮像可能な読取側撮像部と、
前記読取側撮像部にて撮像される画像を処理する処理部と、
上位制御機器に対して所定のデータを送受信可能な通信部と、
を有する光学的情報読取装置を備えるデータ通信システムであって、
前記携帯端末は、
使用者の指紋を撮像可能な携帯側撮像部と、
個人データが記憶される記憶部と、
前記記憶部の前記個人データと個人認証を要求するための個人認証要求データとに応じて第１の情報コードを作成する第１コード作成部と、を備え、
前記表示部には、前記携帯側撮像部により指紋画像が撮像されることに応じて前記第１の情報コードおよび前記指紋画像が表示され、
前記処理部は、
前記読取側撮像部にて撮像される前記表示部に表示された前記第１の情報コードおよび前記指紋画像データをデコードするデコード手段と、
前記デコード手段によりデコード処理された前記第１の情報コードに格納された第１のデータに前記個人認証要求データが含まれるか否かを判定する第１判定手段と、
前記第１判定手段により前記第１のデータに前記個人認証要求データが含まれると判定されるとき、当該第１のデータに含まれる前記個人データに応じた指紋データを取得する指紋データ取得手段と、
前記デコード手段によりデコード処理された第３のデータに前記指紋データと照合して一致する前記指紋画像が含まれるか否かを判定する第３判定手段と、を備え、
前記通信部は、前記第３判定手段により前記第３のデータに前記指紋データと照合して一致する前記指紋画像が含まれると判定されるとき、前記第１のデータに含まれる前記個人データを前記上位制御機器に送信することを特徴とするデータ通信システム。
【請求項４】
前記第１の情報コードには暗号化が施されていることを特徴とする請求項３に記載のデータ通信システム。
【請求項５】
前記表示部には、前記第１の情報コードと前記指紋画像とが順次表示されることを特徴とする請求項３または４に記載のデータ通信システム。
【請求項６】
前記表示部には、前記第１の情報コードおよび前記指紋画像を合成した合成画像が表示されることを特徴とする請求項３または４に記載のデータ通信システム。
【請求項７】
前記合成画像は、前記第１の情報コードと前記指紋画像とが所定の位置関係になるように合成されることを特徴とする請求項６に記載のデータ通信システム。
【請求項８】
前記表示部には、前記第１の情報コードが複数のコード画像に分割して順次表示されることを特徴とする請求項３または４に記載のデータ通信システム。
【請求項９】
携帯端末の表示部に表示された画像を撮像可能な読取側撮像部と、
前記読取側撮像部にて撮像される画像を処理する処理部と、
上位制御機器に対して所定のデータを送受信可能な通信部と、
を有する光学的情報読取装置を備えるデータ通信システムであって、
前記携帯端末は、
使用者の指紋を撮像可能な携帯側撮像部と、
個人データが記憶される記憶部と、
前記記憶部の前記個人データと個人認証を要求するための個人認証要求データとに応じて第１の情報コードを作成する第１コード作成部と、
前記携帯側撮像部により撮像された指紋画像に応じて指紋用情報コードを作成する指紋用コード作成部と、を備え、
前記表示部には、前記携帯側撮像部により指紋画像が撮像されることに応じて前記第１の情報コードおよび前記指紋用情報コードが表示され、
前記処理部は、
前記読取側撮像部にて撮像される前記表示部に表示された前記第１の情報コードおよび前記指紋用情報コードをデコードするデコード手段と、
前記デコード手段によりデコード処理された前記第１の情報コードに格納された第１のデータに前記個人認証要求データが含まれるか否かを判定する第１判定手段と、
前記第１判定手段により前記第１のデータに前記個人認証要求データが含まれると判定されるとき、当該第１のデータに含まれる前記個人データに応じた指紋データを取得する指紋データ取得手段と、
前記デコード手段によりデコード処理された第４のデータに前記指紋データと照合して一致する指紋画像に応じた前記指紋用情報コードが含まれるか否かを判定する第４判定手段と、を備え、
前記通信部は、前記第４判定手段により前記第４のデータに前記指紋データと照合して一致する指紋画像に応じた前記指紋用情報コードが含まれると判定されるとき、前記第１のデータに含まれる前記個人データを前記上位制御機器に送信することを特徴とするデータ通信システム。
【請求項１０】
前記第１の情報コードには暗号化が施されていることを特徴とする請求項９に記載のデータ通信システム。
【請求項１１】
前記表示部には、前記第１の情報コードと前記指紋用情報コードとが順次表示されることを特徴とする請求項９または１０に記載のデータ通信システム。
【請求項１２】
前記表示部には、前記第１の情報コードおよび前記指紋用情報コードを合成した合成画像が表示されることを特徴とする請求項９または１０に記載のデータ通信システム。
【請求項１３】
前記合成画像は、前記第１の情報コードと前記指紋用情報コードとが所定の位置関係になるように合成されることを特徴とする請求項１２に記載のデータ通信システム。
【請求項１４】
前記表示部には、前記第１の情報コードおよび前記指紋用情報コードの少なくとも１つが複数のコード画像に分割して順次表示されることを特徴とする請求項９または１０に記載のデータ通信システム。
【発明の詳細な説明】
【技術分野】
【０００１】
本発明は、光学的情報読取装置を用いるデータ通信システムに関するものである。
【背景技術】
【０００２】
従来、光学的情報読取装置を用いるデータ通信システムに関する技術として、下記特許文献１に示す個人識別装置が知られている。この個人識別装置は、患者個人の個人データを二次元バーコード化して血液バッグやカルテなどの照合対象物に貼付し、再び患者個人の指紋と照合するものである。
【０００３】
この個人識別装置では、まず、作業者の識別番号等が記録された作業者ラベルのバーコードを、装置本体に内蔵されたコードスキャナで読み取り、作業者を登録する。そして、作業者が患者個人の指紋情報や個人情報、属性情報を二次元バーコードに変換し、この二次元バーコードを照合対象物に貼り付ける。また、あらかじめ患者個人の指紋情報を読み取って暗号化し装置に登録する。つぎに照合作業において、再度、作業者の識別番号等が記録された作業者ラベルのバーコードを装置本体に内蔵されたコードスキャナで読み取り、作業者を登録する。そして、照合対象物の二次元バーコードを読み取って暗号を解読し、新たに読み取った患者個人の指紋情報と照合する。これにより、登録された作業者と異なる不正使用者による不正使用を防止している。
【先行技術文献】
【特許文献】
【０００４】
【特許文献１】特開２００３−０７９６００号公報
【発明の概要】
【発明が解決しようとする課題】
【０００５】
ところで、プリペイドカードやクレジットカードの情報媒体として二次元コードが用いられており、不正使用者による不正使用を防止するため、暗号化された二次元コードを利用して、利用の都度暗号化キーを変更し、一度使用されたコードは、次回より受付けないなどの対応をしている。しかし、例えば、携帯電話やカード等に表示した二次元コードを読取装置等の入力装置に入力する場合、この携帯電話等を紛失してしまうと、携帯電話等を不正に取得した不正使用者による不正使用を防止することができない。
【０００６】
そこで、二次元コード中に使用可能な者の指紋データそのものを備えるか、二次元コード中のインデックスを有してデータベースに記憶させた指紋データを参照可能にすることで、入力装置に対する二次元コードの入力と同時に使用者の指紋の入力を行ないこの指紋と上記指紋データを照合することにより、紛失等に対応する事例がある。しかしながら、このような入力方法では、紛失等に対するセキュリティ性は向上するものの、二次元コードと指紋とを入力装置にそれぞれ入力する必要があり、入力作業が煩雑になってしまうという問題がある。
【０００７】
本発明は、上述した課題を解決するためになされたものであり、その目的とするところは、入力作業を煩雑にすることなくセキュリティ性を向上させ得るデータ通信システムを提供することにある。
【課題を解決するための手段】
【０００８】
上記目的を達成するため、特許請求の範囲に記載の請求項１のデータ通信システムでは、携帯端末の表示部に表示された画像を撮像可能な読取側撮像部と、前記読取側撮像部にて撮像される画像を処理する処理部と、上位制御機器に対して所定のデータを送受信可能な通信部と、を有する光学的情報読取装置を備えるデータ通信システムであって、前記携帯端末は、使用者の指紋を撮像可能な携帯側撮像部と、個人データおよび指紋データが記憶される記憶部と、前記記憶部の前記指紋データと前記携帯側撮像部にて撮像される指紋画像とを照合する照合部と、前記記憶部の前記個人データと個人認証を要求するための個人認証要求データとに応じて第１の情報コードを作成する第１コード作成部と、個人認証の完了を示す個人認証完了データに応じて第２の情報コードを作成する第２コード作成部と、を備え、前記表示部には、前記携帯側撮像部により前記指紋画像が撮像されることに応じて前記照合部により前記指紋画像と前記指紋データとが一致すると判断されるとき、前記第１の情報コードおよび前記第２の情報コードが表示され、前記処理部は、前記読取側撮像部にて撮像される前記表示部に表示された前記第１の情報コードおよび前記第２の情報コードをデコードするデコード手段と、前記デコード手段によりデコード処理された前記第１の情報コードに格納された第１のデータに前記個人認証要求データが含まれるか否かを判定する第１判定手段と、前記第１判定手段により前記第１のデータに前記個人認証要求データが含まれると判定されるとき、前記デコード手段によりデコード処理された前記第２の情報コードに格納された第２のデータに前記個人認証完了データが含まれるか否かを判定する第２判定手段と、を備え、前記通信部は、前記第２判定手段により前記第２のデータに前記個人認証完了データが含まれると判定されるとき、前記第１のデータに含まれる前記個人データを前記上位制御機器に送信することを特徴とする。
【０００９】
請求項２の発明は、請求項１に記載のデータ通信システムにおいて、前記表示部には、前記第１の情報コードおよび前記第２の情報コードの少なくとも１つを複数のコード画像に分割して順次表示することを特徴とする。
【００１０】
請求項３のデータ通信システムは、携帯端末の表示部に表示された画像を撮像可能な読取側撮像部と、前記読取側撮像部にて撮像される画像を処理する処理部と、上位制御機器に対して所定のデータを送受信可能な通信部と、を有する光学的情報読取装置を備えるデータ通信システムであって、前記携帯端末は、使用者の指紋を撮像可能な携帯側撮像部と、個人データが記憶される記憶部と、前記記憶部の前記個人データと個人認証を要求するための個人認証要求データとに応じて第１の情報コードを作成する第１コード作成部と、を備え、前記表示部には、前記携帯側撮像部により指紋画像が撮像されることに応じて前記第１の情報コードおよび前記指紋画像が表示され、前記処理部は、前記読取側撮像部にて撮像される前記表示部に表示された前記第１の情報コードおよび前記指紋画像データをデコードするデコード手段と、前記デコード手段によりデコード処理された前記第１の情報コードに格納された第１のデータに前記個人認証要求データが含まれるか否かを判定する第１判定手段と、前記第１判定手段により前記第１のデータに前記個人認証要求データが含まれると判定されるとき、当該第１のデータに含まれる前記個人データに応じた指紋データを取得する指紋データ取得手段と、前記デコード手段によりデコード処理された第３のデータに前記指紋データと照合して一致する前記指紋画像が含まれるか否かを判定する第３判定手段と、を備え、前記通信部は、前記第３判定手段により前記第３のデータに前記指紋データと照合して一致する前記指紋画像が含まれると判定されるとき、前記第１のデータに含まれる前記個人データを前記上位制御機器に送信することを特徴とする。
【００１１】
請求項４の発明は、請求項３に記載のデータ通信システムにおいて、前記第１の情報コードには暗号化が施されていることを特徴とする。
【００１２】
請求項５の発明は、請求項３または４に記載のデータ通信システムにおいて、前記表示部には、前記第１の情報コードと前記指紋画像とが順次表示されることを特徴とする。
【００１３】
請求項６の発明は、請求項３または４に記載のデータ通信システムにおいて、前記表示部には、前記第１の情報コードおよび前記指紋画像を合成した合成画像が表示されることを特徴とする。
【００１４】
請求項７の発明は、請求項６に記載のデータ通信システムにおいて、前記合成画像は、前記第１の情報コードと前記指紋画像とが所定の位置関係になるように合成されることを特徴とする。
【００１５】
請求項８の発明は、請求項３または４に記載のデータ通信システムにおいて、前記表示部には、前記第１の情報コードが複数のコード画像に分割して順次表示されることを特徴とする。
【００１６】
請求項９の発明は、携帯端末の表示部に表示された画像を撮像可能な読取側撮像部と、前記読取側撮像部にて撮像される画像を処理する処理部と、上位制御機器に対して所定のデータを送受信可能な通信部と、を有する光学的情報読取装置を備えるデータ通信システムであって、前記携帯端末は、使用者の指紋を撮像可能な携帯側撮像部と、個人データが記憶される記憶部と、前記記憶部の前記個人データと個人認証を要求するための個人認証要求データとに応じて第１の情報コードを作成する第１コード作成部と、前記携帯側撮像部により撮像された指紋画像に応じて指紋用情報コードを作成する指紋用コード作成部と、を備え、前記表示部には、前記携帯側撮像部により指紋画像が撮像されることに応じて前記第１の情報コードおよび前記指紋用情報コードが表示され、前記処理部は、前記読取側撮像部にて撮像される前記表示部に表示された前記第１の情報コードおよび前記指紋用情報コードをデコードするデコード手段と、前記デコード手段によりデコード処理された前記第１の情報コードに格納された第１のデータに前記個人認証要求データが含まれるか否かを判定する第１判定手段と、前記第１判定手段により前記第１のデータに前記個人認証要求データが含まれると判定されるとき、当該第１のデータに含まれる前記個人データに応じた指紋データを取得する指紋データ取得手段と、前記デコード手段によりデコード処理された第４のデータに前記指紋データと照合して一致する指紋画像に応じた前記指紋用情報コードが含まれるか否かを判定する第４判定手段と、を備え、前記通信部は、前記第４判定手段により前記第４のデータに前記指紋データと照合して一致する指紋画像に応じた前記指紋用情報コードが含まれると判定されるとき、前記第１のデータに含まれる前記個人データを前記上位制御機器に送信することを特徴とする。
【００１７】
請求項１０の発明は、請求項９に記載のデータ通信システムにおいて、前記第１の情報コードには暗号化が施されていることを特徴とする請求項９に記載のデータ通信システム。
【００１８】
請求項１１の発明は、請求項９または１０に記載のデータ通信システムにおいて、前記表示部には、前記第１の情報コードと前記指紋用情報コードとが順次表示されることを特徴とする。
【００１９】
請求項１２の発明は、請求項９または１０に記載のデータ通信システムにおいて、前記表示部には、前記第１の情報コードおよび前記指紋用情報コードを合成した合成画像が表示されることを特徴とする。
【００２０】
請求項１３の発明は、請求項１２に記載のデータ通信システムにおいて、前記合成画像は、前記第１の情報コードと前記指紋用情報コードとが所定の位置関係になるように合成されることを特徴とする。
【００２１】
請求項１４の発明は、請求項９または１０に記載のデータ通信システムにおいて、前記表示部には、前記第１の情報コードおよび前記指紋用情報コードの少なくとも１つが複数のコード画像に分割して順次表示されることを特徴とする。
【発明の効果】
【００２２】
請求項１の発明では、携帯端末、例えば携帯電話の携帯側撮像部により指紋画像が撮像されることに応じてこの指紋画像と記憶部に記憶される指紋データとが一致すると照合部により判断されるとき、個人データおよび個人認証要求データに応じた第１の情報コードと、個人認証完了データに応じた第２の情報コードとが携帯端末の表示部に表示される。そして、光学的情報読取装置の読取側撮像部が携帯端末の表示部に表示された第１の情報コードおよび第２の情報コードを撮像すると、デコード処理された第１の情報コードに格納された第１のデータに個人認証要求データが含まれるとの第１判定手段による判定と、デコード処理された第２の情報コードに格納された第２のデータに個人認証完了データが含まれるとの第２判定手段による判定とに応じて、第１のデータに含まれる個人データが通信部により上位制御機器に送信される。
【００２３】
これにより、携帯端末の携帯側撮像部に指紋画像を撮像させた状態で当該携帯端末の表示部に表示される第１の情報コードおよび第２の情報コードを光学的情報読取装置に撮像させるだけで、携帯端末により個人認証が完了するとともにこの個人認証完了に応じて個人データが上位制御機器に送信されるので、入力作業を煩雑にすることなくセキュリティ性を向上させることができる。
【００２４】
請求項２の発明では、表示部には、第１の情報コードおよび第２の情報コードの少なくとも１つが複数のコード画像に分割して順次表示されるため、例えば、高解像度の指紋画像に関するデータ等の大容量データであっても携帯端末から光学的情報読取装置に確実に送信することができる。
【００２５】
請求項３の発明では、携帯端末、例えば携帯電話の携帯側撮像部により指紋画像が撮像されることに応じて、この指紋画像と記憶部に記憶される個人データおよび個人認証要求データに応じた第１の情報コードとが携帯端末の表示部に表示される。そして、光学的情報読取装置の読取側撮像部が携帯端末の表示部に表示された第１の情報コードおよび指紋画像を撮像すると、デコード処理された第１の情報コードに格納された第１のデータに個人認証要求データが含まれるとの第１判定手段による判定と、デコード処理された第３のデータに個人データに応じて取得された指紋データに一致する指紋画像が含まれるとの第３判定手段による判定とに応じて、第１のデータに含まれる個人データが通信部により上位制御機器に送信される。
【００２６】
これにより、携帯端末の携帯側撮像部に指紋画像を撮像させた状態で当該携帯端末の表示部に表示される第１の情報コードおよび指紋画像を光学的情報読取装置に撮像させるだけで、光学的情報読取装置により個人認証が完了するとともにこの個人認証完了に応じて個人データが上位制御機器に送信されるので、入力作業を煩雑にすることなくセキュリティ性を向上させることができる。また、携帯端末には指紋画像と指紋データとを照合する手段が不要になるため、このような照合手段をもたない携帯端末であってもセキュリティ性を向上させることができる。
【００２７】
請求項４の発明では、第１の情報コードには暗号化が施されているため、携帯端末の表示部に第１の情報コードが表示される場合でも上記暗号化を解読可能な解読手段を有しない限り当該第１の情報コードを解読できないので、セキュリティ性を向上させることができる。
【００２８】
請求項５の発明では、表示部には、第１の情報コードと指紋画像とが順次表示されるため、光学的情報読取装置は第１の情報コードおよび指紋画像を円滑に撮像することができる。一方、不正使用者は、例えば一の携帯端末等に表示させた第１の情報コードと他の携帯端末等に表示させた指紋画像とを光学的情報読取装置の読取側撮像部に撮像させる必要があり両者を円滑に順次表示させることができない。このため、第１の情報コードと指紋画像とが円滑に順次表示されない場合には個人データが上位制御機器に送信されないので、セキュリティ性を向上させることができる。また、携帯端末の表示部の広さによって光学的情報読取装置の読取側撮像部に撮像させる情報量が限定されないので、必要な情報量のデータを光学的情報読取装置に入力することができる。
【００２９】
請求項６の発明では、表示部には、第１の情報コードおよび指紋画像を合成した合成画像が表示されるため、光学的情報読取装置はこの合成画像を１つ撮像するだけで第１の情報コードおよび指紋画像を取得できるので、光学的情報読取装置における第１の情報コードおよび指紋画像を処理するための時間を短縮することができる。
【００３０】
請求項７の発明では、上記合成画像は、第１の情報コードと指紋画像とが所定の位置関係になるように合成されるため、不正使用者が第１の情報コードおよび指紋画像を合成した合成画像を用意しても両者が上記所定の位置関係にない場合には個人データが上位制御機器に送信されないので、セキュリティ性をより向上させることができる。
【００３１】
請求項８の発明では、表示部には、第１の情報コードが複数のコード画像に分割して順次表示されるため、例えば、高解像度の指紋画像等のような大容量データであっても携帯端末から光学的情報読取装置に確実に送信することができる。
【００３２】
請求項９の発明では、携帯端末、例えば携帯電話の携帯側撮像部により指紋画像が撮像されることに応じて、記憶部に記憶される個人データおよび個人認証要求データに応じた第１の情報コードと指紋画像に応じて作成された指紋用情報コードとが携帯端末の表示部に表示される。そして、光学的情報読取装置の読取側撮像部が携帯端末の表示部に表示された第１の情報コードおよび指紋用情報コードを撮像すると、デコード処理された第１の情報コードに格納された第１のデータに個人認証要求データが含まれるとの第１判定手段による判定と、デコード処理された第４のデータに個人データに応じて取得された指紋データに一致する指紋画像に応じた指紋用情報コードが含まれるとの第４判定手段による判定とに応じて、第１のデータに含まれる個人データが通信部により上位制御機器に送信される。
【００３３】
これにより、携帯端末の携帯側撮像部に指紋画像を撮像させた状態で当該携帯端末の表示部に表示される第１の情報コードおよび指紋用情報コードを光学的情報読取装置に撮像させるだけで、光学的情報読取装置により個人認証が完了するとともにこの個人認証完了に応じて個人データが上位制御機器に送信されるので、入力作業を煩雑にすることなくセキュリティ性を向上させることができる。また、携帯端末には指紋画像と指紋データとを照合する手段が不要になるため、このような照合手段をもたない携帯端末であってもセキュリティ性を向上させることができる。
【００３４】
請求項１０の発明では、第１の情報コードには暗号化が施されているため、携帯端末の表示部に第１の情報コードが表示される場合でも上記暗号化を解読可能な解読手段を有しない限り当該第１の情報コードを解読できないので、セキュリティ性を向上させることができる。
【００３５】
請求項１１の発明では、表示部には、第１の情報コードと指紋用情報コードとが順次表示されるため、光学的情報読取装置は第１の情報コードおよび指紋用情報コードを円滑に撮像することができる。一方、不正使用者は、例えば一の携帯端末等に表示させた第１の情報コードと他の携帯端末等に表示させた指紋用情報コードとを光学的情報読取装置の読取側撮像部に撮像させる必要があり両者を円滑に順次表示させることができない。このため、第１の情報コードと指紋用情報コードとが円滑に順次表示されない場合には個人データが上位制御機器に送信されないので、セキュリティ性を向上させることができる。また、携帯端末の表示部の広さによって光学的情報読取装置の読取側撮像部に撮像させる情報量が限定されないので、必要な情報量のデータを光学的情報読取装置に入力することができる。
【００３６】
請求項１２の発明では、表示部には、第１の情報コードおよび指紋用情報コードを合成した合成画像が表示されるため、光学的情報読取装置はこの合成画像を１つ撮像するだけで第１の情報コードおよび指紋用情報コードを取得できるので、光学的情報読取装置における第１の情報コードおよび指紋用情報コードを処理するための時間を短縮することができる。
【００３７】
請求項１３の発明では、上記合成画像は、第１の情報コードと指紋用情報コードとが所定の位置関係になるように合成されるため、不正使用者が第１の情報コードおよび指紋用情報コードを合成した合成画像を用意しても両者が上記所定の位置関係にない場合には個人データが上位制御機器に送信されないので、セキュリティ性をより向上させることができる。
【００３８】
請求項１４の発明では、表示部には、第１の情報コードおよび指紋用情報コードの少なくとも１つが複数のコード画像に分割して順次表示されるため、例えば、高解像度の指紋画像に関するデータ等の大容量データであっても携帯端末から光学的情報読取装置に確実に送信することができる。
【図面の簡単な説明】
【００３９】
【図１】本第１実施形態に係るデータ通信システムの概略構成を示す説明図である。
【図２】決済状態の携帯電話の表示部を光学的情報読取装置の撮像部に向けた状態を示す説明図である。
【図３】図１の携帯電話におけるコード表示処理の流れを例示するフローチャートである。
【図４】図１の光学的情報読取装置における個人データ送信処理の流れを例示するフローチャートである。
【図５】図５（Ａ）は、第１情報コードが表示された表示部を示す平面図であり、図５（Ｂ）は、第２情報コードが表示された表示部を示す平面図である。
【図６】本第２実施形態に係るデータ通信システムの概略構成を示す説明図である。
【図７】図６の携帯電話におけるコード表示処理の流れを例示するフローチャートである。
【図８】図６の光学的情報読取装置における個人データ送信処理の流れを例示するフローチャートである。
【図９】図９（Ａ）は、第１情報コードが表示された表示部を示す平面図であり、図９（Ｂ）は、指紋画像が表示された表示部を示す平面図である。
【図１０】本第３実施形態に係るデータ通信システムの概略構成を示す説明図である。
【図１１】図１０の携帯電話におけるコード表示処理の流れを例示するフローチャートである。
【図１２】図１０の光学的情報読取装置における個人データ送信処理の流れを例示するフローチャートである。
【図１３】合成画像が表示された表示部を示す平面図である。
【図１４】本第４実施形態に係るデータ通信システムの携帯電話におけるコード表示処理の流れを例示するフローチャートである。
【図１５】本第４実施形態に係るデータ通信システムの光学的情報読取装置における個人データ送信処理の流れを例示するフローチャートである。
【図１６】図１６（Ａ）は、第１情報コードが表示された表示部を示す平面図であり、図１６（Ｂ）は、指紋用情報コードが表示された表示部を示す平面図である。
【発明を実施するための形態】
【００４０】
［第１実施形態］
以下、本発明の第１実施形態に係るデータ通信システムについて図を参照して説明する。図１は、本第１実施形態に係るデータ通信システム１０の概略構成を示す説明図である。
【００４１】
本第１実施形態に係るデータ通信システム１０は、例えば、コンビニエンスストアー等の小売店において購入額に応じた支払いをする際に、支払者が有する携帯端末、例えば携帯電話３０の表示部３２を所定の表示状態にして当該小売店に設置される光学的情報読取装置２０の撮像部２４に向けることで、決済処理を実施するためのシステムである。
【００４２】
このデータ通信システム１０は、図１に示すように、光学的情報読取装置２０を備えており、この光学的情報読取装置２０は、携帯電話３０の表示部３２に表示される画像を撮像可能であって、この撮像結果に応じた情報等をパソコンなどの通信用端末４０に対して送受信可能に構成されている。この通信用端末４０は、インターネット等のネットワークＮを介して、カード決済を管理するクレジットカード会社等のデータベースＤやホストコンピュータと所定の決済関連データを送受信可能に構成されている。なお、通信用端末４０、ネットワークＮおよびデータベースＤは、特許請求の範囲に記載の「上位制御機器」の一例に相当する。
【００４３】
光学的情報読取装置２０は、例えば、据え置き型であって、ハウジング２１の上面に設けられるガラス製の読取口２２を介して照明光を照射する投光部２３と、読取口２２を介した反射光を撮像する撮像部２４と、投光部２３を駆動するとともに撮像部２４にて撮像した画像を処理する処理部２５と、処理部２５により処理された情報等が通信用端末４０に対して送受信される通信部２６とを備えている。
【００４４】
処理部２５は、後述するように撮像部２４により撮像された情報コードに対して所定のデコード処理を施し、このデコード処理の結果に応じた個人情報等を通信部２６を介して通信用端末４０に出力する機能を有する。
【００４５】
携帯電話３０は、使用者の指Ｆの指紋等を撮像可能な撮像部３１と、所定の情報を表示可能な表示部３２と、撮像部３１および表示部３２を駆動制御可能な制御部３３と、所定の情報が記憶されるメモリ等の記憶部３４と、所定の情報を入力可能な操作キー３５等とを有する一般的な携帯電話であって、記憶部３４には後述するコード表示プログラムが実行可能に格納されている。
【００４６】
制御部３３は、コード表示プログラムを実行することにより、照合部３３ａと、コード作成部３３ｂとを備える制御手段として機能する。照合部３３ａは、撮像部３１により撮像された使用者の指Ｆの指紋画像と、記憶部３４に記憶される正当使用者の指紋データとが一致するか否かを照合するように機能する。
【００４７】
コード作成部３３ｂは、記憶部３４の個人データと個人認証を要求するための個人認証要求データとに応じたＱＲコード（以下、第１情報コードＱ１という）を作成し、個人認証の完了を示す個人認証完了データに応じたＱＲコード（以下、第２情報コードＱ２という）を作成するように機能する。
【００４８】
操作キー３５は、その操作に応じて制御部３３等に所定の情報を入力する機能を有するもので、コード表示用操作を行うことにより、当該携帯電話３０が決済状態となり上記コード表示プログラムが開始されるように構成されている。
【００４９】
次に、本第１実施形態に係るデータ通信システム１０による決済処理について図２〜図５を用いて説明する。図２は、決済状態の携帯電話３０の表示部３２を光学的情報読取装置２０の撮像部２４に向けた状態を示す説明図である。図３は、図１の携帯電話３０におけるコード表示処理の流れを例示するフローチャートである。図４は、図１の光学的情報読取装置２０における個人データ送信処理の流れを例示するフローチャートである。図５（Ａ）は、第１情報コードＱ１が表示された表示部３２を示す平面図であり、図５（Ｂ）は、第２情報コードＱ２が表示された表示部３２を示す平面図である。
【００５０】
図２に示すように、使用者が購入額に応じた支払いをする際に、使用者の指Ｆを携帯電話３０の撮像部３１に対向させた状態で操作キー３５に対して上述したコード表示用操作を行うと、当該携帯電話３０が決済状態となりコード表示プログラムに応じてコード表示処理が開始される。これにより、制御部３３では、図３に示すように、ステップＳ１０１にて指紋画像取得処理がなされ、使用者の指Ｆの指紋画像が取得される。
【００５１】
次に、ステップＳ１０３において、照合部３３ａにより指紋照合処理がなされ、ステップＳ１０１にて取得した指紋画像と、記憶部３４に記憶される正当使用者の指紋データとが照合される。
【００５２】
そして、ステップＳ１０５において、上記指紋照合処理により指紋画像と指紋データとが一致しないと判定される場合、すなわち、正当使用者による使用でないと判定される場合には（Ｓ１０５でＮｏ）、ステップＳ１０１からの処理が繰り返され、後述する第１情報コードＱ１や第２情報コードＱ２が表示部３２に表示されることもない。
【００５３】
一方、正当使用者による使用であることから指紋画像と指紋データとが一致すると判定されると（Ｓ１０５でＹｅｓ）、ステップＳ１０７において、コード作成処理がなされる。この処理では、コード作成部３３ｂにより、記憶部３４に記憶される正当使用者のカード番号等の個人データと、個人認証要求データとに応じた第１情報コードＱ１が作成される。また、コード作成部３３ｂにより、個人認証完了データに応じた第２情報コードＱ２が作成される。なお、第１情報コードＱ１および第２情報コードＱ２は、特許請求の範囲に記載の「第１の情報コード」および「第２の情報コード」の一例に相当する。
【００５４】
そして、ステップＳ１０９にて第１コード表示処理がなされて、図５（Ａ）に示すように、第１情報コードＱ１が表示部３２に表示される。そして、所定時間後に、ステップＳ１１１にて第２コード表示処理がなされて、図５（Ｂ）に示すように、第２情報コードＱ２が表示部３２に表示される。
【００５５】
一方、小売店に設置される光学的情報読取装置２０の処理部２５では、図４に示す個人データ送信処理が実行されており、ステップＳ２０１の画像取得処理により取得された画像データが、ステップＳ２０３のデコード処理により公知の手法でもってデコードされる。この画像データが個人認証要求データを含まない一般の画像データである場合には、ステップＳ２０５においてＮｏと判定されて、ステップＳ２０１からの処理が繰り返される。
【００５６】
そして、図２に示すように、上述したステップＳ１０９にて第１情報コードＱ１が表示される携帯電話３０の表示部３２を当該光学的情報読取装置２０の撮像部３１に対向させることにより、ステップＳ２０１にて第１情報コードＱ１を含む画像データが取得される。そして、ステップＳ２０３のデコード処理によりこの画像データの第１情報コードＱ１がデコードされて個人データおよび個人認証要求データが取得されると、ステップＳ２０５にてＹｅｓと判定される。なお、ステップＳ２０３および後述するステップＳ２０９を実行する処理部２５は、特許請求の範囲に記載の「デコード手段」の一例に相当する。また、ステップＳ２０５を実行する処理部２５は、特許請求の範囲に記載の「第１判定手段」の一例に相当する。
【００５７】
次に、ステップＳ２０７にて画像取得処理がなされ、上記ステップＳ１１１のように表示部３２には第１情報コードＱ１の表示の所定時間後に第２情報コードＱ２が表示されるので、第２情報コードＱ２を含む画像データが取得される。そして、ステップＳ２０９のデコード処理によりこの画像データの第２情報コードＱ２がデコードされて個人認証完了データが取得されると、ステップＳ２１１にて、個人認証完了であるとしてＹｅｓと判定される。なお、ステップＳ２１１を実行する処理部２５は、特許請求の範囲に記載の「第２判定手段」の一例に相当する。
【００５８】
そして、ステップＳ２１３においてデータ出力処理がなされる。この処理では、ステップＳ２０３にて取得された個人データ等が通信部２６により通信用端末４０に出力される。これにより、通信用端末４０では、個人データや購入額等を含めた決済関連データがネットワークＮを介してクレジットカード会社等に送信されることで、購入額に応じた支払いに関する決済処理が完了する。
【００５９】
一方、不正使用者が第１情報コードＱ１に相当するように偽造等した画像を撮像部３１に撮像させることによりステップＳ２０５にてＹｅｓと判定されても、第２情報コードＱ２を含む画像データが撮像部３１に撮像されない限りステップＳ２１１にてＮｏと判定されるので、個人データ等が通信用端末４０等を介して送信されることもない。
【００６０】
また、不正使用者が第２情報コードＱ２に相当する画像をも偽造する場合でも、上述のようにステップＳ２０５にてＹｅｓと判定された場合に、偽造等した画像が所定時間後に撮像部３１に撮像させない限りステップＳ２１１にてＮｏと判定されるので、個人データ等が通信用端末４０等を介して送信されることもない。
【００６１】
以上説明したように、本第１実施形態に係るデータ通信システム１０では、携帯電話３０の撮像部３１により使用者の指Ｆの指紋画像が撮像されることに応じてこの指紋画像と記憶部３４に記憶される指紋データとが一致すると照合部３３ａにより判断されるとき、個人データおよび個人認証要求データに応じた第１情報コードＱ１と、個人認証完了データに応じた第２情報コードＱ２とが表示部３２に表示される。そして、光学的情報読取装置２０の撮像部２４が携帯電話３０の表示部３２に表示された第１情報コードＱ１および第２情報コードＱ２を撮像すると、ステップＳ２０３にてデコード処理された画像データに個人認証要求データが含まれるとの判定と、ステップＳ２０９にてデコード処理された画像データに個人認証完了データが含まれるとの判定とに応じて、ステップＳ２０３にて取得された個人データ等が通信部２６により通信用端末４０に送信される。
【００６２】
これにより、携帯電話３０の撮像部３１に指紋画像を撮像させた状態で当該携帯電話３０の表示部３２に表示される第１情報コードＱ１および第２情報コードＱ２を光学的情報読取装置２０に撮像させるだけで、携帯電話３０により個人認証が完了するとともにこの個人認証完了に応じて個人データが通信用端末４０に送信されるので、決済処理における入力作業を煩雑にすることなくセキュリティ性を向上させることができる。
【００６３】
［第２実施形態］
次に、本発明の第２実施形態に係るデータ通信システム１０ａについて図６〜図９を参照して説明する。図６は、本第２実施形態に係るデータ通信システム１０ａの概略構成を示す説明図である。図７は、図６の携帯電話３０ａにおけるコード表示処理の流れを例示するフローチャートである。図８は、図６の光学的情報読取装置２０ａにおける個人データ送信処理の流れを例示するフローチャートである。図９（Ａ）は、第１情報コードＱ１が表示された表示部３２を示す平面図であり、図９（Ｂ）は、指紋画像Ｐｆが表示された表示部３２を示す平面図である。
【００６４】
本第２実施形態に係るデータ通信システム１０ａでは、上記第１実施形態にて述べた光学的情報読取装置２０に代えて光学的情報読取装置２０ａを採用しており、第１情報コードＱ１等を表示するための携帯端末が携帯電話３０から携帯電話３０ａとなる点が、上記第１実施形態に係るデータ通信システムと異なる。したがって、第１実施形態のデータ通信システムと実質的に同一の構成部分には、同一符号を付し、その説明を省略する。
【００６５】
光学的情報読取装置２０ａは、処理部２５に代えて処理部２５ａを備えており、この処理部２５ａは、個人データ送信処理に対応するプログラムを実行することにより、使用者の指Ｆの指紋画像Ｐｆと、個人情報に応じて取得した指紋データとが一致するか否かを照合する照合部２５ｂを備える制御手段として機能する。
【００６６】
また、携帯電話３０ａは、制御部３３に代えて制御部３３ｃを備えており、この制御部３３ｃは、コード表示プログラムを実行することにより、上述したコード作成部３３ｂを備える制御手段として機能する。すなわち、本第２実施形態に係る携帯電話３０ａでは、制御部３３ｃは、使用者の指Ｆの指紋画像と正当使用者の指紋データとが一致するか否かを照合する機能を有していない。
【００６７】
次に、本第２実施形態に係るデータ通信システム１０ａによる決済処理について図７〜図９を用いて説明する。
上記第１実施形態と同様に、携帯電話３０ａが決済状態となりコード表示プログラムに応じてコード表示処理が開始されると、制御部３３ｃでは、図７に示すように、ステップＳ３０１にて指紋画像取得処理がなされ、使用者の指Ｆの指紋画像が取得される。
【００６８】
次に、ステップＳ３０３において、コード作成処理がなされる。この処理では、上記第１実施形態と同様に、コード作成部３３ｂにより、記憶部３４に記憶される正当使用者のカード番号等の個人データと、個人認証要求データとに応じた第１情報コードＱ１が作成される。
【００６９】
そして、ステップＳ３０５にて第１コード表示処理がなされて、図９（Ａ）に示すように、第１情報コードＱ１が表示部３２に表示される。そして、所定時間後に、ステップＳ３０７にて指紋画像表示処理がなされて、図９（Ｂ）に示すように、ステップＳ３０１にて取得した指紋画像Ｐｆが表示部３２に表示される。
【００７０】
一方、小売店に設置される光学的情報読取装置２０ａの処理部２５ａでは、図８に示す個人データ送信処理が実行されており、ステップＳ４０１の画像取得処理により取得された画像データが、ステップＳ４０３のデコード処理により公知の手法でもってデコードされる。この画像データが個人認証要求データを含まない一般の画像データである場合には、ステップＳ４０５においてＮｏと判定されて、ステップＳ４０１からの処理が繰り返される。
【００７１】
そして、上述したステップＳ３０５にて第１情報コードＱ１が表示される携帯電話３０ａの表示部３２を当該光学的情報読取装置２０ａの撮像部３１に対向させることにより（図２参照）、ステップＳ４０１にて第１情報コードＱ１を含む画像データが取得される。そして、ステップＳ４０３のデコード処理によりこの画像データの第１情報コードＱ１がデコードされて個人データおよび個人認証要求データが取得されると、ステップＳ４０５にてＹｅｓと判定される。なお、ステップＳ４０３を実行する処理部２５ａは、特許請求の範囲に記載の「デコード手段」の一例に相当する。また、ステップＳ４０５を実行する処理部２５ａは、特許請求の範囲に記載の「第１判定手段」の一例に相当する。
【００７２】
次に、ステップＳ４０７にて指紋画像取得処理がなされ、上記ステップＳ３０７のように表示部３２には第１情報コードＱ１の表示の所定時間後に指紋画像Ｐｆが表示されるので、指紋画像Ｐｆを含む画像データが取得される。
【００７３】
そして、ステップＳ４０９において、指紋データ取得処理がなされる。この処理では、上記ステップＳ４０３にて取得した個人データに応じた指紋データが、通信部２６、通信用端末４０、ネットワークＮおよびデータベースＤ等を介して取得される。なお、この指紋データは、光学的情報読取装置２０ａや通信用端末４０の記憶部（図示略）に予め記憶されてもよい。また、ステップＳ４０９を実行する処理部２５ａは、特許請求の範囲に記載の「指紋データ取得手段」の一例に相当する。
【００７４】
次に、ステップＳ４１１において、指紋照合処理がなされる。この処理では、照合部２５ｂにより、ステップＳ４０７にて取得した指紋画像ＰｆとステップＳ４０９にて取得した指紋データとが照合される。
【００７５】
そして、ステップＳ４１３において、上記指紋照合処理により指紋画像Ｐｆの指紋と指紋データとが一致すると判定される場合、すなわち、正当使用者による使用であると判定される場合には（Ｓ４１３でＹｅｓ）、ステップＳ４１５にてデータ出力処理がなされ、上記第１実施形態と同様に個人データ等が通信部２６により通信用端末４０に出力されて購入額に応じた支払いに関する決済処理が完了する。なお、ステップＳ４１１，Ｓ４１３を実行する処理部２５ａ，照合部２５ｂは、特許請求の範囲に記載の「第３判定手段」の一例に相当する。
【００７６】
一方、ステップＳ４１３において、上記指紋照合処理により指紋画像Ｐｆの指紋と指紋データとが一致しないと判定される場合、すなわち、正当使用者による使用でないと判定される場合には（Ｓ４１３でＮｏ）、個人データ等が通信用端末４０等を介して送信されることはない。
【００７７】
以上説明したように、本第２実施形態に係るデータ通信システム１０ａでは、携帯電話３０ａの撮像部３１により使用者の指Ｆの指紋画像が撮像されることに応じて、記憶部３４に記憶される個人データおよび個人認証要求データに応じた第１情報コードＱ１と指紋画像Ｐｆとが携帯電話３０ａの表示部３２に表示される。そして、光学的情報読取装置２０ａの撮像部２４が携帯電話３０ａの表示部３２に表示された第１情報コードＱ１および指紋画像Ｐｆを撮像すると、ステップＳ４０３にてデコード処理された画像データに個人認証要求データが含まれるとの判定と、ステップＳ４０７にて取得した指紋画像Ｐｆの指紋とステップＳ４０９にて個人データに応じて取得された指紋データとが一致する判定とに応じて、ステップＳ４０３にて取得された個人データ等が通信部２６により通信用端末４０に送信される。
【００７８】
これにより、携帯電話３０ａに指紋画像を撮像させた状態で当該携帯電話３０ａの表示部３２に表示される第１情報コードＱ１および指紋画像Ｐｆを光学的情報読取装置２０ａに撮像させるだけで、光学的情報読取装置２０ａにより個人認証が完了するとともにこの個人認証完了に応じて個人データが通信用端末４０に送信されるので、決済処理における入力作業を煩雑にすることなくセキュリティ性を向上させることができる。また、携帯電話３０ａには指紋画像と指紋データとを照合する照合手段が不要になるため、このような照合手段をもたない携帯電話３０ａであってもセキュリティ性を向上させることができる。
【００７９】
また、本第２実施形態に係るデータ通信システム１０ａでは、携帯電話３０ａの表示部３２には、第１情報コードＱ１と指紋画像Ｐｆとが順次表示されるため、光学的情報読取装置２０ａは第１情報コードＱ１および指紋画像Ｐｆを円滑に撮像することができる。一方、不正使用者は、例えば一の携帯端末等に表示させた第１情報コードＱ１と他の携帯端末等に表示させた指紋画像Ｐｆとを光学的情報読取装置２０ａの撮像部２４に撮像させる必要があり両者を円滑に順次表示させることができない。このため、第１情報コードＱ１と指紋画像Ｐｆとが所定時間後に表示されない場合、換言すると第１情報コードＱ１と指紋画像Ｐｆとが円滑に順次表示されない場合には個人データが通信用端末４０に送信されないので、セキュリティ性を向上させることができる。また、携帯電話３０ａの表示部３２の広さによって光学的情報読取装置２０ａの撮像部２４に撮像させる情報量が限定されないので、必要な情報量のデータを光学的情報読取装置２０ａに入力することができる。
【００８０】
なお、第１情報コードＱ１には暗号化が施されてもよい。これにより、携帯電話３０ａの表示部３２に第１情報コードＱ１が表示される場合でも上記暗号化を解読可能な解読手段を有しない限り当該第１情報コードＱ１を解読できないので、セキュリティ性を向上させることができる。
【００８１】
［第３実施形態］
次に、本発明の第３実施形態に係るデータ通信システム１０ｂについて図１０〜図１３を参照して説明する。図１０は、本第３実施形態に係るデータ通信システム１０ｂの概略構成を示す説明図である。図１１は、図１０の携帯電話３０ｂにおけるコード表示処理の流れを例示するフローチャートである。図１２は、図１０の光学的情報読取装置２０ａにおける個人データ送信処理の流れを例示するフローチャートである。図１３は、合成画像Ｐｓが表示された表示部３２を示す平面図である。
【００８２】
本第３実施形態に係るデータ通信システム１０ｂでは、第１情報コードＱ１等を表示するための携帯端末が携帯電話３０ａから携帯電話３０ｂとなる点が、上記第２実施形態に係るデータ通信システムと異なる。したがって、第２実施形態のデータ通信システムと実質的に同一の構成部分には、同一符号を付し、その説明を省略する。
【００８３】
携帯電話３０ｂは、制御部３３ｃに代えて制御部３３ｄを備えており、この制御部３３ｄは、コード表示プログラムを実行することにより、上述したコード作成部３３ｂと合成部３３ｅとを備える制御手段として機能する。この合成部３３ｅは、撮像部３１により撮像された使用者の指Ｆの指紋画像Ｐｆと、コード作成部３３ｂにより作成した第１情報コードＱ１とを合成するように機能する。
【００８４】
次に、本第３実施形態に係るデータ通信システム１０ｂによる決済処理について図１１〜図１３を用いて説明する。
上記第２実施形態と同様に、携帯電話３０ｂが決済状態となりコード表示プログラムに応じてコード表示処理が開始されると、制御部３３ｄでは、図１１に示すように、ステップＳ５０１にて指紋画像取得処理がなされ、使用者の指Ｆの指紋画像Ｐｆが取得される。
【００８５】
次に、ステップＳ５０３において、コード作成処理がなされる。この処理では、上記第２実施形態と同様に、コード作成部３３ｂにより、記憶部３４に記憶される正当使用者のカード番号等の個人データと、個人認証要求データとに応じた第１情報コードＱ１が作成される。
【００８６】
そして、ステップＳ５０５にて合成画像作成処理がなされる。この処理では、ステップＳ５０１にて取得した指紋画像ＰｆとステップＳ５０３にて作成した第１情報コードＱ１とが所定の位置関係になるように合成した合成画像Ｐｓが作成される。この所定の位置関係は、例えば、合成される日付に応じて設定され、図１３に示すように、指紋画像Ｐｆの左上に第１情報コードＱ１が位置するように合成画像Ｐｓが作成される。なお、上記所定の位置関係は、例えば、第１情報コードＱ１や所定の規定などに基づいて設定されてもよい。
【００８７】
そして、ステップＳ５０７にて合成画像表示処理がなされて、図１３に示すように、合成画像Ｐｓが表示部３２に表示される。
【００８８】
一方、小売店に設置される光学的情報読取装置２０ａの処理部２５では、図１２に示す個人データ送信処理が実行されており、ステップＳ６０１にて画像取得処理により画像データが取得されると、ステップＳ６０３において、この画像データが指紋画像Ｐｆと第１情報コードＱ１とが上記所定の位置関係になるように合成した合成画像Ｐｓであるか否かについて判定される。ステップＳ６０１にて取得された画像データが合成画像Ｐｓを含まない一般の画像データである場合には、ステップＳ６０３においてＮｏと判定されて、ステップＳ６０１からの処理が繰り返される。
【００８９】
そして、上述したステップＳ５０７にて合成画像Ｐｓが表示される携帯電話３０ｂの表示部３２を当該光学的情報読取装置２０ａの撮像部３１に対向させることにより（図２参照）、ステップＳ６０１にて合成画像Ｐｓを含む画像データが取得されると、この画像データが指紋画像Ｐｆと第１情報コードＱ１とが上記所定の位置関係になるように合成した合成画像ＰｓであることからステップＳ６０３にてＹｅｓと判定される。
【００９０】
次に、ステップＳ６０５においてデコード処理がなされ、ステップＳ６０１にて取得された合成画像Ｐｓに含まれる第１情報コードＱ１に対してデコード処理がなされることで個人データおよび個人認証要求データが取得される。
【００９１】
そして、個人認証要求データが取得されることからステップＳ６０７にてＹｅｓと判定されると、ステップＳ６０９にて指紋データ取得処理がなされ、上記第２実施形態と同様に、ステップＳ６０５にて取得した個人データに応じた指紋データが、通信部２６、通信用端末４０、ネットワークＮおよびデータベースＤ等を介して取得される。
【００９２】
次に、ステップＳ６１１にて指紋照合処理がなされ、上記第２実施形態と同様に、ステップＳ６０１にて取得した指紋画像Ｐｆの指紋とステップＳ６０９にて取得した指紋データとが照合される。そして、ステップＳ６１３において、上記指紋照合処理により指紋画像と指紋データとが一致すると判定される場合、すなわち、正当使用者による使用であると判定される場合には（Ｓ６１３でＹｅｓ）、ステップＳ６１５にてデータ出力処理がなされ、上記第２実施形態と同様に個人データ等が通信部２６により通信用端末４０に出力されて購入額に応じた支払いに関する決済処理が完了する。
【００９３】
一方、ステップＳ６１３において、上記指紋照合処理により指紋画像Ｐｆの指紋と指紋データとが一致しないと判定される場合、すなわち、正当使用者による使用でないと判定される場合には（Ｓ６１３でＮｏ）、個人データ等が通信用端末４０等を介して送信されることはない。
【００９４】
以上説明したように、本第３実施形態に係るデータ通信システム１０ｂでは、携帯電話３０ｂの表示部３２には、第１情報コードＱ１および指紋画像Ｐｆを合成した合成画像Ｐｓが表示されるため、光学的情報読取装置２０ａはこの合成画像Ｐｓを１つ撮像するだけで第１情報コードＱ１および指紋画像Ｐｆを取得できるので、光学的情報読取装置２０ａにおける第１情報コードＱ１および指紋画像Ｐｆを処理するための時間を短縮することができる。
【００９５】
また、本第３実施形態に係るデータ通信システム１０ｂでは、合成画像Ｐｓは、第１情報コードＱ１と指紋画像Ｐｆとが上記所定の位置関係になるように合成されるため、不正使用者が第１情報コードＱ１および指紋画像Ｐｆを合成した合成画像を用意しても両者が上記所定の位置関係にない場合には個人データが通信用端末４０に送信されないので、セキュリティ性をより向上させることができる。
【００９６】
［第４実施形態］
次に、本発明の第４実施形態に係るデータ通信システム１０ａについて図１４および図１５を参照して説明する。図１４は、本第４実施形態に係るデータ通信システム１０ａの携帯電話３０ａにおけるコード表示処理の流れを例示するフローチャートである。図１５は、本第４実施形態に係るデータ通信システム１０ａの光学的情報読取装置２０ａにおける個人データ送信処理の流れを例示するフローチャートである。図１６（Ａ）は、第１情報コードＱ１が表示された表示部を示す平面図であり、図１６（Ｂ）は、指紋用情報コードＱｆが表示された表示部を示す平面図である。
【００９７】
本第４実施形態に係るデータ通信システム１０ａでは、携帯電話３０ａにおけるコード表示処理を図７に示すフローチャートの代えて図１４に示すフローチャートに基づいて実施するとともに、光学的情報読取装置２０ａにおける個人データ送信処理を図８に示すフローチャートに代えて図１５に示すフローチャートに基づいて実施する点が、上記第２実施形態に係るデータ通信システムと異なる。したがって、第２実施形態のデータ通信システムと実質的に同一の構成部分には、同一符号を付し、その説明を省略する。
【００９８】
以下、本第４実施形態に係るデータ通信システム１０ａによる決済処理について図１４および図１５を用いて説明する。
まず、上記第２実施形態と同様に、携帯電話３０ａが決済状態となりコード表示プログラムに応じてコード表示処理が開始されると、図１４のステップＳ３０１にて指紋画像取得処理がなされ、使用者の指Ｆの指紋画像が取得される。
【００９９】
次に、ステップＳ３０３ａにおいて、コード作成処理がなされる。この処理では、コード作成部３３ｂにより、記憶部３４に記憶される正当使用者のカード番号等の個人データと、個人認証要求データとに応じた第１情報コードＱ１が作成される。また、コード作成部３３ｂにより、ステップＳ３０１にて取得された指紋画像に応じて指紋用情報コードＱｆが作成される。
【０１００】
そして、ステップＳ３０５にて第１コード表示処理がなされて、図１６（Ａ）に示すように、第１情報コードＱ１が表示部３２に表示される。そして、所定時間後に、ステップＳ３０７ａにて指紋用情報コード表示処理がなされて、図１６（Ｂ）に示すように、指紋用情報コードＱｆが表示部３２に表示される。
【０１０１】
一方、小売店に設置される光学的情報読取装置２０ａの処理部２５ａでは、図１５に示す個人データ送信処理が実行されており、上記第２実施形態と同様に、ステップＳ４０１にて第１情報コードＱ１を含む画像データが取得されて、ステップＳ４０３のデコード処理によりこの画像データの第１情報コードＱ１がデコードされて個人データおよび個人認証要求データが取得されると、ステップＳ４０５にてＹｅｓと判定される。
【０１０２】
次に、ステップＳ４０７ａにて指紋用情報コード取得処理がなされ、上記ステップＳ３０７ａのように表示部３２には第１情報コードＱ１の表示の所定時間後に指紋用情報コードＱｆが表示されるので、指紋用情報コードＱｆを含む画像データが取得されて、ステップＳ４０８のデコード処理によりこの画像データの指紋用情報コードＱｆがデコードされて指紋画像に相当するデータが取得される。
【０１０３】
そして、上記第２実施形態と同様に、ステップＳ４０９にて取得した個人データに応じた指紋データが取得された後、ステップＳ４１１にて、ステップＳ４０８にて取得した指紋画像に相当するデータとステップＳ４０９にて取得した指紋データとが照合される。そして、ステップＳ４１３にて上記指紋照合処理により両者が一致すると判定されると、ステップＳ４１５にてデータ出力処理がなされ、上記第２実施形態と同様に個人データ等が通信部２６により通信用端末４０に出力されて購入額に応じた支払いに関する決済処理が完了する。
【０１０４】
以上説明したように、本第４実施形態に係るデータ通信システム１０ａでは、携帯電話３０ａの撮像部３１により使用者の指Ｆの指紋画像が撮像されることに応じて、記憶部３４に記憶される個人データおよび個人認証要求データに応じた第１情報コードＱ１と指紋画像に応じて作成された指紋用情報コードＱｆとが携帯電話３０ａの表示部３２に表示される。そして、光学的情報読取装置２０ａの撮像部２４が携帯電話３０ａの表示部３２に表示された第１情報コードＱ１および指紋用情報コードＱｆを撮像すると、ステップＳ４０３にてデコード処理された画像データに個人認証要求データが含まれるとの判定と、ステップＳ４０８にて指紋用情報コードＱｆをデコード処理されて取得された指紋画像に相当するデータとステップＳ４０９にて個人データに応じて取得された指紋データとが一致する判定とに応じて、ステップＳ４０３にて取得された個人データ等が通信部２６により通信用端末４０に送信される。
【０１０５】
これにより、携帯電話３０ａに指紋画像を撮像させた状態で当該携帯電話３０ａの表示部３２に表示される第１情報コードＱ１および指紋用情報コードＱｆを光学的情報読取装置２０ａに撮像させるだけで、光学的情報読取装置２０ａにより個人認証が完了するとともにこの個人認証完了に応じて個人データが通信用端末４０に送信されるので、決済処理における入力作業を煩雑にすることなくセキュリティ性を向上させることができる。また、携帯電話３０ａには指紋画像と指紋データとを照合する照合手段が不要になるため、このような照合手段をもたない携帯電話３０ａであってもセキュリティ性を向上させることができる。
【０１０６】
また、本第２実施形態に係るデータ通信システム１０ａでは、携帯電話３０ａの表示部３２には、第１情報コードＱ１と指紋用情報コードＱｆとが順次表示されるため、光学的情報読取装置２０ａは第１情報コードＱ１および指紋用情報コードＱｆを円滑に撮像することができる。一方、不正使用者は、例えば一の携帯端末等に表示させた第１情報コードＱ１と他の携帯端末等に表示させた指紋用情報コードＱｆとを光学的情報読取装置２０ａの撮像部２４に撮像させる必要があり両者を円滑に順次表示させることができない。このため、第１情報コードＱ１と指紋用情報コードＱｆとが所定時間後に表示されない場合、換言すると第１情報コードＱ１と指紋用情報コードＱｆとが円滑に順次表示されない場合には個人データが通信用端末４０に送信されないので、セキュリティ性を向上させることができる。また、携帯電話３０ａの表示部３２の広さによって光学的情報読取装置２０ａの撮像部２４に撮像させる情報量が限定されないので、必要な情報量のデータを光学的情報読取装置２０ａに入力することができる。
【０１０７】
なお、本発明は上記各実施形態に限定されるものではなく、以下のように具体化してもよく、その場合でも、上記各実施形態と同等の作用・効果が得られる。
（１）上記第１実施形態において、使用者の指紋を撮像して照合した後に第１情報コードＱ１および第２情報コードＱ２を表示する携帯端末として、一般に使用される携帯電話に上記コード表示プログラムを実行可能に格納した携帯電話３０を採用することなく、例えば、専用の携帯端末を採用してもよいし、他の機能を兼備する携帯端末を採用してもよい。また、他の実施形態でも同様である。
【０１０８】
（２）本第１実施形態に係るデータ通信システム１０は、光学的情報読取装置２０を小売店に設置して購入額に応じた支払いに応じた決済処理を実施することに限らず、例えば、銀行の窓口などに設置することにより決済処理や他の処理等を実施してもよい。また、他の実施形態でも同様である。
【０１０９】
（３）上記第１実施形態における携帯電話３０の表示部３２には、第１情報コードＱ１および第２情報コードＱ２の少なくとも１つが複数のコード画像に分割して順次表示されてもよい。このとき、光学的情報読取装置２０は、最初の分割コード画像を撮像することにより次に残りの分割コード画像が撮像されることを認識するものとする。これにより、例えば、高解像度の指紋画像に関するデータ等の大容量データであっても携帯端末から光学的情報読取装置２０に確実に送信することができる。また、他の実施形態でも同様である。
【符号の説明】
【０１１０】
１０…データ通信システム
２０，２０ａ…光学的情報読取装置
２４…撮像部（読取側撮像部）
２５…処理部（デコード手段，第１判定手段，第２判定手段）
２５ａ…処理部（デコード手段，第１判定手段，指紋データ取得手段，第３判定手段，第４判定手段）
２５ｂ…照合部（第３判定手段，第４判定手段）
２６…通信部
３０，３０ａ，３０ｂ…携帯電話（携帯端末）
３１…撮像部（携帯側撮像部）
３２…表示部
３３，３３ｃ，３３ｄ…制御部
３３ａ…照合部
３３ｂ…コード作成部（第１コード作成部，第２コード作成部，指紋用コード作成部）
３３ｅ…合成部
３４…記憶部
４０…通信用端末（上位制御機器）
Ｄ…データベース（上位制御機器）
Ｎ…ネットワーク（上位制御機器）
Ｑ１…第１情報コード
Ｑ２…第２情報コード
Ｑｆ…指紋用情報コード
Ｐｆ…指紋画像
Ｐｓ…合成画像
【図１】
2010224862.tif 000003
【図２】
2010224862.tif 000004
【図３】
2010224862.tif 000005
【図４】
2010224862.tif 000006
【図５】
2010224862.tif 000007
【図６】
2010224862.tif 000008
【図７】
2010224862.tif 000009
【図８】
2010224862.tif 000010
【図９】
2010224862.tif 000011
【図１０】
2010224862.tif 000012
【図１１】
2010224862.tif 000013
【図１２】
2010224862.tif 000014
【図１３】
2010224862.tif 000015
【図１４】
2010224862.tif 000016
【図１５】
2010224862.tif 000017
【図１６】
2010224862.tif 000018